(57)【要約】【課題】  熟練者でなくても、救助袋本体をフレームに短時間で結合できる避難用ハッチの救助袋を提供すること。【解決手段】  ハッチ１の開口部分１ａに掛止められるフレーム１０が、複数の連結部材１１と、連結部材間に対して少なくとも一端が着脱可能にされた複数の支持シャフト１２とからなり、上記連結部材間１１に支持シャフト１２をかけ渡すことによって上記フレーム１０が構成される一方、上記ハッチ１には上記フレーム１０が掛止められるフレーム受け１ｂが設けられ、救助袋本体９の上端に上記支持シャフト１２が通されるシャフト通し部９ａ，１３ａが設けられ、このシャフト通し部に支持シャフト１２を通してフレーム１０を構成しながら、救助袋本体９をフレーム１０に結合するようにした。【選択図】  図６
2018126271.tif 000002
【特許請求の範囲】
【請求項１】
内部に螺旋滑降路を備えた筒状の救助袋本体の上端に、ハッチの開口部分に掛け止められるフレームを備えた避難用ハッチの救助袋であって、
上記フレームは、
複数の連結部材と、これら連結部材間に対して少なくとも一端が着脱可能にされた複数の支持シャフトとからなり、
上記連結部材間に支持シャフトをかけ渡すことによって上記フレームが構成される一方、
上記ハッチには上記フレームが掛け止められるフレーム受けが設けられ、
上記救助袋本体の上端に上記支持シャフトが通されるシャフト通し部が設けられた避難用ハッチの救助袋。
【請求項２】
上記シャフト通し部は、
救助袋本体の開口を維持する開口維持通し部と、
救助袋本体の荷重を支える支持通し部とからなる請求項１に記載された避難用ハッチの救助袋。
【請求項３】
上記支持通し部は、救助袋本体よりも強度の高い別部材からなる請求項２に記載された避難用ハッチの救助袋。
【請求項４】
四角形の開口を備えたハッチに対して四角形の上記フレームを備え、このフレームの四隅に上記支持通し部が設けられ、
上記フレームに救助袋本体が吊り下げられたとき、上記開口維持通し部の下方には上記シャフトに沿ったたるみ部が形成される請求項２又は３に記載の避難用ハッチの救助袋。
【発明の詳細な説明】
【技術分野】
【０００１】
この発明は、火災などの救急時に、下階へ避難するための避難用ハッチの救助袋に関する。
【背景技術】
【０００２】
従来から、避難用ハッチに筒状の救助袋本体を下方へ吊り下げて使用する装置が知られている。
例えば、図７〜９に示す従来の救助袋は、ハッチ１の開口１ａに、布製の救助袋本体２を取り付けたものである。通常時は、救助袋本体２がハッチ１の上蓋３と下蓋４との間に折りたたまれて収納されているが、非常時に上蓋３を開くと、これにリンクして下蓋４が開くが、このとき図示していない収納ベルトを引くと、救助袋本体２が落下して図７に示す吊り下げ状態となる。
救助袋本体２は、外観はハッチ１の開口形状に対応した四角柱であるが、内部には外周とは別の布を縫いつけることによって螺旋滑降路５が形成されている。したがって、避難者はハッチ１から救助袋本体２内に入ると、螺旋滑降路５に沿って回りながら下降し、避難することができる。
なお、上記救助袋本体２はその下端に、図示しない底面と脱出口を備えている。
【０００３】
上記救助袋本体２は、図８に示す金属製のフレーム６に取り付けられ、このフレーム６がハッチ１の内側に設けられる。
このフレーム６は金属製の丸棒を溶接して形成されたもので、ほぼ正方形の環状部６ａと四隅の脚部６ｂとが一体化している。この環状部６ａに救助袋本体２を取り付けてから、ハッチ１の四隅に設けられたフレーム受け１ｂ（図７参照）に環状部６ａの四隅を載せるようにしている。このフレーム受け１ｂは、金属板を直角に折り曲げて形成した部材で、両端をハッチ１の内壁に溶接し、直角部分をハッチの中心方向に突出させている。このとき、上記脚部６ｂが上記フレーム受け１ｂとハッチ１の角との間に挿入され、フレーム６ががたつかないようにしている。
【０００４】
この従来の救助袋では、上記救助袋本体２とフレーム６とがロープ７によって結合される（図７，９参照）。そのため、救助袋本体２の上端には、図９に示すようにロープ７を通すための複数のハトメ８が開口に沿って設けられている。
そして、このハトメ８とフレーム６との結合作業の手順は、次の通りである。
まず、上記救助袋本体２の開口を、フレーム６に合わせて広げ、ハトメ８をフレーム６の環状部６ａに沿わせる。
【０００５】
次に、ハトメ８にロープ７を通しながら、このロープ７を環状部６ａに結び付け、ハトメ８と環状部６ａとを結合する。このとき、ロープ７の一箇所が切断するようなことがあったとしても、その切断が他の部分に及ばないように特殊な結び方をしなければならない。このような結び方で、救助袋本体２の開口に沿った全てのハトメ８を環状部６ａに結びつけたら、救助袋本体２の開口に沿って一周したロープ７の両端に図示しないループを作り、このループ同士を連結する。
なお、ループは、連結が解かれないように、端部を確実に止めなければならない。例えば、ロープ７の端部を他の部分に編み込むようにしていた。
このようにして、ハトメ８を介して救助袋本体２とフレーム６とが一体化したら、フレーム６をハッチ１のフレーム受け１ｂに引っ掛ける。
【先行技術文献】
【特許文献】
【０００６】
【特許文献１】実開平０６−０２６９０３号公報
【特許文献２】特開２００４−１５９８５６号公報
【発明の概要】
【発明が解決しようとする課題】
【０００７】
上記従来の救助袋では、ハトメ８とフレーム６とを結合するためのロープ７の結び方が、特殊なものである。そのため、この作業には熟練者であっても時間がかかってしまう。
また、ロープ７の両端のループの端部を編み込む止め方も、専門家でなければできないものである。
したがって、一つの救助袋本体２をフレーム６に結合する作業には、熟練者でも約１時間半もかかってしまう。つまり、救助袋本体２をフレーム６に結合するための作業に手間と時間がかかってしまうという問題があった。
この発明の目的は、熟練者でなくても、救助袋本体をフレームに短時間で結合することができる避難用ハッチの救助袋を提供することである。
【課題を解決するための手段】
【０００８】
この発明は、内部に螺旋滑降路を備えた筒状の救助袋本体の上端に、ハッチの開口に掛け止められるフレームを備えた避難用ハッチの救助袋を前提とするものである。
そして、第１の発明は、上記フレームが、複数の連結部材と、これら連結部材間に対して少なくとも一端が着脱可能にされた複数の支持シャフトとからなり、上記連結部材間に支持シャフトをかけ渡すことによって上記フレームが構成される一方、上記ハッチには上記フレームが掛け止められるフレーム受けが設けられ、上記救助袋本体の上端に上記支持シャフトが通されるシャフト通し部が設けられたことを特徴とする。
【０００９】
第２の発明は、上記シャフト通し部が、救助袋本体の開口を維持する開口維持通し部と、救助袋本体の荷重を支える支持通し部とからなることを特徴とする。
なお、上記救助袋本体の荷重とは、救助袋本体の自重だけでなく、救助袋本体内を下降中の避難者の重量なども含まれ、救助袋本体を介してシャフト通し部に作用する全ての荷重のことである。
また、上記シャフト通し部のうち支持通し部が救助袋本体の荷重を支えるが、開口維持通し部には、全く荷重が作用しないという訳ではない。救助袋本体の荷重は、開口維持通し部にも作用するが、特に、支持通し部に荷重が作用しやすい構成にしているということである。
【００１０】
第３の発明は、上記支持通し部が、救助袋本体よりも強度の高い別部材からなることを特徴とする。
【００１１】
第４の発明は、四角形の開口を備えたハッチに対して四角形の上記フレームを備え、このフレームの四隅に上記支持通し部が設けられ、上記フレームに救助袋本体が吊り下げられたとき、上記開口維持通し部の下方には上記シャフトに沿ったたるみ部が形成されることを特徴とする。
【発明の効果】
【００１２】
第１の発明では、上記連結部材に連結する支持シャフトの少なくとも一端が着脱可能にされているので、連結部材から外した状態の支持シャフトの一端を、救助袋本体のシャフト通し部に簡単に通すことができる。
このようにシャフト通し部に通した支持シャフトを連結部材に連結すれば、連結部材間に支持シャフトがかけ渡されたフレームが形成されるとともに、このフレームに救助袋本体の上端が結合される。このフレームをハッチに設けたフレーム受けに掛止めることで、救助袋を構成できる。
【００１３】
そして、上記救助袋本体のシャフト通し部に支持シャフトを通す作業や、支持シャフトを連結部材に結合する作業は、特別な技能や熟練を必要とせず誰でもできる。また、従来の救助袋のように、ロープを特殊な結び方で結ぶ場合と比べて、圧倒的に作業時間を短縮できる。
つまり、第１の発明によれば、熟練者でなくても短時間で、救助袋本体をフレームに結合することができるようになる。
【００１４】
第２〜４の発明によれば、支持通し部が、主に救助袋本体の荷重を支えるため、この支持通し部の強度を高く保てば、全てのシャフト通し部や救助袋本体全体の強度を一律に高くしなくてもよくなる。
また、第３の発明では、支持通し部を救助袋本体と別部材にしているので、支持通し部の強度を容易に高めることができる。
【００１５】
第４の発明によれば、救助袋本体の開口形状を、ハッチの開口に沿った形状にすることができ、ハッチの開口内で、救助袋本体の開口を最大限に保つことができる。救助袋本体の開口が大きくなれば、その分、避難者が内部に入りやすくなり、速やかに避難できることになる。
さらに、開口維持通し部の下方にたるみ部が形成されることで、開口維持通し部に荷重がかかりにくくなる。支持通し部が救助袋本体の荷重を主に支えることになるので、支持通し部の強度を大きくして、安全性を高めることができる。
また、開口維持通し部の下方に形成されたたるみ部が、救助袋本体の変形に追従するので、救助袋本体が変形しやすくなり、内部を通過する避難者にストレスが作用しにくくなる。
【図面の簡単な説明】
【００１６】
【図１】この発明の実施形態のフレームを構成する部品の斜視図である。
【図２】実施形態の支持シャフトの自由端部分の拡大図である。
【図３】実施形態のフレームの斜視図である。
【図４】実施形態の救助袋本体の外観図である。
【図５】実施形態の救助袋本体とフレームとの結合状態を示した部分拡大図である。
【図６】実施形態の救助袋本体を取り付けたハッチを、上方から見た図である。
【図７】従来の避難用ハッチの救助袋の全体を示した概略図である。
【図８】従来のフレームの斜視図である。
【図９】従来のフレームと救助袋本体との結合状態を示した部分拡大図である。
【発明を実施するための形態】
【００１７】
この発明の一実施形態を、図１〜６を用いて説明する。
この実施形態の避難用ハッチの救助袋は、ハッチ１の内側に図４に示す救助袋本体９が取り付けられたものである。
ハッチ１は、図７に示す従来と同様の構成なので、ここでは図７を参照するが、この実施形態でも上下蓋３，４の間にフレーム受け１ｂを備えている。このフレーム受け１ｂは、図６に示すように金属製の板部材を直角に折り曲げ、両端をハッチ１の内壁に溶接によって固定したものである。
このフレーム受け１ｂに、後で詳しく説明するこの実施形態のフレーム１０が掛け止められる（図６参照）。
【００１８】
図１は、この実施形態のフレーム１０を構成する部品で、直角にした一対の連結片１１ａ，１１ｂからなる連結部材１１と、１本の丸棒状の支持シャフト１２とが一体化されている。このような部品を、図３に示すように４個連結すると、この実施形態のフレーム１０が構成される。
上記各支持シャフト１２は、その一端が連結部材１１の一方の連結片１１ａに溶接などで固定され、他方の端部を自由端としている。そして、この自由端側では、側面の一部を切り欠いて断面を非円形とし、端面１２ａにはねじ穴１２ｂが形成されている。
なお、図２は、上記支持シャフト１２の自由端を、図１の裏面側から見た図であるが、図示のように端面１２ａの近傍には、端面１２ａを非円形にするための切欠きによって段部１２ｃが形成されている。
【００１９】
また、上記連結部材１１の他方の連結片１１ｂには、他の連結部材１１に連結された支持シャフト１２の自由端を挿入するための連結穴１１ｃが形成されている。この連結穴１１ｃは、上記支持シャフト１２の端面１２ａの形状に合わせた非円形にされている。
このように、支持シャフト１２の自由端の端面１２ａと、連結穴１１ｃとを非円形にしているのは、上記連結穴１１ｃに、別の連結部材１１に固定された支持シャフト１２の自由端を挿入したときに、支持シャフト１２が連結穴１１ｃ内で回転しないようにするためである。
さらに支持シャフト１２を連結穴１１ｃに挿入したとき、支持シャフト１２の自由端側の切欠きによって形成された上記段部１２ｃが、連結片１１ｂに当接して支持シャフト１２の軸方向のストッパとして機能する。
なお、図１中の符号１１ｄは、後で説明するが、フレーム１０のストッパ機構を構成する段部である。
【００２０】
一方、図４に示すこの実施形態の救助袋本体９は、従来と同様に吊り下げられたときの外観が四角柱となり、内部に螺旋滑降路５を備えた布製のものである。ただし、図４では、フレーム１０を取り付けていない状態を示している。
そして、この救助袋本体９の上端の開口付近には、布を折り返して筒状に形成された開口維持通し部９ａが、正方形の各辺に対応して設けられている。
また、上記開口維持通し部９ａに隣接する位置であって、救助袋本体９の開口の四隅に対応する位置には、救助袋本体９とは別部材である補強用テープ１３が救助袋本体９の上下方向全長に亘って縫い付けられ、この補強用テープ１３の上端を折り返してループ状の支持通し部１３ａが形成されている。
なお、図４中の符号９ｂ，１３ｂで示した破線は、それぞれ開口維持通し部９ａ、支持通し部１３ａを形成するための縫い目である。
【００２１】
さらに、この実施形態では、上記補強用テープ１３には、救助袋本体９を形成する布地よりも強度が高い材質のものを用いている。これにより、救助袋本体９の上下方向の伸びを抑制できるとともに、上記支持通し部１３ａの強度を高めることができる。
そして、上記開口維持通し部９ａ及び支持通し部１３ａが、上記支持シャフト１２を通すこの発明のシャフト通し部を構成している。
また、図４に示すように、上記開口維持通し部９ａ及び支持通し部１３ａに支持シャフト１２を通していない状態で、開口維持通し部９ａの方が、支持通し部１３ａよりも上方に位置するようにしている。
【００２２】
次に、この実施形態の救助袋本体９を、フレーム１０に結合する作業手順について説明する。
まず、図１に示す支持シャフト１２を、救助袋本体９の開口維持通し部９ａ及び支持通し部１３ａに通す。支持シャフト１２を、上記開口維持通し部９ａ及び支持通し部１３ａに貫通させたら、その支持シャフト１２の自由端を隣り合う連結部材１１に形成された連結穴１１ｃに挿入する。このとき、支持シャフト１２の自由端側の段部１２ｃを連結片１１ｂに突き当てて位置決めする。
その後、支持シャフト１２の端面１２ａのねじ穴１２ｂに、ワッシャを介して止めねじ１４（図５参照）を締め付ける。同様に、全ての支持シャフト１２の自由端を支持片１１ｂに固定する。
【００２３】
このようにして、４本の支持シャフト１２が連結部材１１に固定されれば、支持シャフト１２が連結部材１１，１１間に架け渡された状態となり、正方形のフレーム１０が形成される。
そして、上記フレーム１０が形成されると同時に、このフレーム１０には救助袋本体９が結合される。
上記のように、救助袋本体９が結合されたフレーム１０は、図６に示すように、ハッチ１内のフレーム受け１ｂに掛け止めることができる。フレーム１０の四隅は、上記開口維持通し部９ａ及び支持通し部１３ａから露出しているので、その部分をフレーム受け１ｂにかけるようにしている。
このとき、支持シャフト１２を連結部材１１の上方に位置させて、連結部材１１の下部をフレーム受け１ｂとハッチ１の内壁との間に挿入すれば、一対の連結片１１ａ，１１ｂが、フレーム受け１ｂの直角内で支持され、フレーム１０が安定して掛け止められる。
【００２４】
なお、上記したように、上記支持シャフト１２の自由端の端面１２ａと連結片１１ｂの連結穴１１ｃとを非円形で一致させているため、支持シャフト１２の自由端を連結片１１ｂに固定するとき、支持シャフト１２が回転してしまうことがない。
また、支持シャフト１２の上記段部１２ｃによって、連結穴１１ｃに対する支持シャフト１２の軸方向の挿入長さを一定にできるため、連結部材１１，１１間の支持シャフト１２の長さを一定に保つことができる。
したがって、支持シャフト１２の連結時に、特別な注意を払わなくても、４本の支持シャフト１２によって形成されたフレーム１０が捩じれるようなことがなく、正方形を維持することができる。そのため、フレーム受け部１ｂ上でフレーム１０が浮き上がってしまうようなこともなく安定した掛け止め状態を維持できる。
【００２５】
さらに、この実施形態では、フレーム受け部１ｂの側壁に孔を形成し、外部から上記連結部材１１の連結片１１ｂの段部１１ｄに向かってストッパ部材としてボルト１５を突出させている。このボルト１５と上記段部１１ｄとが相まってストッパ機構を構成し、フレーム受け１ｂからフレーム１０が浮き上がることを防止できる。
ここでは、連結片１１ｂ側の段部１１ｄでストッパ機構を構成しているが、このストッパ機構はもう一方の連結片１１ａ側の段部１１ｄによって構成してもよいし、両方の段部１１ｄを利用しても構わない。また、いずれか一つの連結部材１１の段部１１ｄのみでストッパ機構を構成してもよい。
ただし、支持シャフト１２と連結部材１１との位置決め機構や、フレーム１０の浮き上がり防止用のストッパ機構などは、この実施形態の構成に限らないし、必須のものでもない。
【００２６】
また、この実施形態では、上記したように開口維持通し部９ａよりも支持通し部１３ａが下方に位置するようにしているため、各開口維持通し部９ａ及び支持通し部１３ａに支持シャフト１２を挿入して救助袋本体９を吊り下げたとき、図５に示すように、開口維持通し部９ａの下方には布がたるんだたるみ部１６が形成される。
このようなたるみ部１６が形成された状態では、救助袋本体９の荷重は、開口維持通し部９ａにはほとんど作用せず、主に支持通し部１３ａが上記荷重を支えることになる。
ただし、救助袋の使用時に救助袋本体９が変形し、上記たるみ部１６が下方へ引っ張られるような場合には、開口維持通し部９ａも荷重を支えることになる。
【００２７】
この実施形態では、荷重を支える支持通し部１３ａを設けたことにより、救助袋本体９を形成する生地に大きな荷重を作用させないようにすることができる。特に、支持通し部１３ａを強度の高い部材で構成すれば、救助袋本体９の全体の強度はそれほど高くしなくてもよくなる。
ただし、救助袋本体９全体の強度を高め、開口維持通し部９ａでも荷重を支えるようにしても構わない。
また、たるみ部１６は、様々な方向の引っ張り力を吸収することができるので、救助袋本体９が変形しやすくなり、内部を下降する避難者へかかるストレスも小さくできる。
【００２８】
上記のように、この実施形態では、フレーム１０を構成する支持シャフト１２の一端が連結部材１１から着脱可能にされているため、救助袋本体９に設けられたシャフト通し部９ａ，１３ａに支持シャフト１２を通し、フレーム１０を構成しながらフレーム１０と救助袋本体９とを結合することができる。
したがって、フレーム１０に救助袋本体９を結合する際に、従来の救助袋のようにロープ７を特殊な結び方で結ぶという手間のかかる作業を必要としない。
その結果、救助袋本体９をフレーム１０に結合する作業を単純化でき、熟練者でなくても約５分間という短時間で結合作業ができるようになった。
従来の救助袋では、フレームと救助袋本体との結合作業に約１時間半もかかっていたので、その作業時間を５分間に短縮できたことは、非常に大きなメリットである。
【００２９】
なお、上記実施形態では、正方形の開口において、四隅に一つずつ支持通し部１３ａを設けているが、支持通し部１３ａの数や位置は上記実施形態に限らない。支持通し部１３ａは、救助袋本体９の開口に沿って均等に配置されていることが好ましく、その数が多くなればなるほど、各支持通し部１３ａに掛かる荷重を分散することができる。
しかし、開口維持通し部９ａと支持通し部１３ａとは、上下方向の位置がずれているため、開口維持通し部９ａと支持通し部１３ａとが、救助袋本体９の開口に沿って細かく分断され交互に配置されていると、支持シャフト１２を通す際の作業性が落ちてしまう。支持通し部１３ａや開口維持通し部９ａの数をあまり多くしない方が、結合の作業性は良くなる。
この実施形態では、救助袋本体９の四隅に支持通し部１３ａを設け、その間に一つの開口維持通し部９ａを設けているため、１本の支持シャフト１２を、１つの開口維持通し部９ａと１つの支持通し部１３ａとだけに通せばよく、支持シャフト１２の挿入作業が簡単である。
【００３０】
また、上記実施形態では、連結部材１１に対して支持シャフト１２の一方の端部のみを着脱可能にしているが、両端を着脱可能にして、連結部材１１から取り外した支持シャフト１２を、救助袋本体９のシャフト通し部に通してから両端に連結部材１１を連結するようにしてもよい。
さらに、フレーム１０の形状は、救助袋本体９の開口を維持して吊り下げることができる環状であれば、正方形だけでなく、その他の多角形や円などどのような形状でも構わない。
ただし、救助袋本体９の開口面積を大きくできる点で、フレーム１０の平面形状はハッチ１の開口に沿ったものが好ましい。
【００３１】
また、フレーム１０を構成する支持シャフト１２に対して、連結部材１１がどこにいくつ配置されるようにしてもよい。
連結部材１１と支持シャフト１２との連結個所が少なければ、その分、連結作業が少なくて済む。しかし、連結部材１１と支持シャフト１２とが一体化された一部品が大きくなったり、１本の支持シャフト１２が長くなったりしてしまう。このように、１つの部品が大きくなれば、部品の保管スペースが必要になるし、搬送性も低下してしまう。
したがって、フレーム１０の大きさや形状などに応じて、連結部材１１の最適な位置や数を決めればよい。
【００３２】
さらに、この実施形態では直線状の支持シャフト１２を用いているが、支持シャフトは直線状のものに限らない。ただし、支持シャフトの途中に角や凹凸が形成されていると、シャフト通し部に通しにくくなるので、直線状や円弧状のものを用いることが、救助袋本体の結合の作業性を上げるうえで有利である。
また、救助袋本体９や、フレーム１０を構成する支持シャフト１２及び連結部材１１の材質は、必要な強度を維持できれば、特に限定されない。
【産業上の利用可能性】
【００３３】
この発明は、避難用ハッチの救助袋の生産性を劇的に向上させることができるものである。
【符号の説明】
【００３４】
１    ハッチ
１ａ    （ハッチ）の開口
１ｂ    フレーム受け
５    螺旋滑降路
９    救助袋本体
９ａ    開口維持通し部
１０    フレーム
１１    連結部材
１２    支持シャフト
１３ａ    支持通し部
１６    たるみ部
【図１】
2018126271.tif 000003
【図２】
2018126271.tif 000004
【図３】
2018126271.tif 000005
【図４】
2018126271.tif 000006
【図５】
2018126271.tif 000007
【図６】
2018126271.tif 000008
【図７】
2018126271.tif 000009
【図８】
2018126271.tif 000010
【図９】
2018126271.tif 000011
【手続補正書】
【提出日】平成30年1月10日(2018.1.10)
【手続補正１】
【補正対象書類名】特許請求の範囲
【補正対象項目名】請求項４
【補正方法】変更
【補正の内容】
【請求項４】
四角形の開口を備えたハッチに対して四角形の上記フレームを備え、このフレームの四隅に上記支持通し部が設けられ、
上記フレームに救助袋本体が吊り下げられたとき、上記開口維持通し部の下方には上記支持シャフトに沿ったたるみ部が形成される請求項２又は３に記載の避難用ハッチの救助袋。
【手続補正２】
【補正対象書類名】明細書
【補正対象項目名】００１１
【補正方法】変更
【補正の内容】
【００１１】
第４の発明は、四角形の開口を備えたハッチに対して四角形の上記フレームを備え、このフレームの四隅に上記支持通し部が設けられ、上記フレームに救助袋本体が吊り下げられたとき、上記開口維持通し部の下方には上記支持シャフトに沿ったたるみ部が形成されることを特徴とする。
【手続補正書】
【提出日】平成30年4月20日(2018.4.20)
【手続補正１】
【補正対象書類名】特許請求の範囲
【補正対象項目名】全文
【補正方法】変更
【補正の内容】
【特許請求の範囲】
【請求項１】
内部に螺旋滑降路を備えた筒状の救助袋本体の上端に、ハッチの開口部分に掛け止められるフレームを備えた避難用ハッチの救助袋であって、
上記フレームは、
複数の連結部材と、これら連結部材間に対して少なくとも一端が着脱可能にされた複数の支持シャフトとからなり、
上記連結部材間に支持シャフトをかけ渡すことによって上記フレームが構成される一方、
上記ハッチには上記フレームが掛け止められるフレーム受けが設けられ、
上記救助袋本体の上端に上記支持シャフトが通されるシャフト通し部が設けられた避難用ハッチの救助袋。
【請求項２】
上記シャフト通し部は、
救助袋本体の開口を維持する開口維持通し部と、
救助袋本体の荷重を支える支持通し部とからなるとともに、
上記支持通し部は、救助袋本体よりも強度の高い別部材からなる請求項１に記載された避難用ハッチの救助袋。
【請求項３】
上記シャフト通し部は、
救助袋本体の開口を維持する開口維持通し部と、
救助袋本体の荷重を支える支持通し部とからなるとともに、
四角形の開口を備えたハッチに対して四角形の上記フレームを備え、このフレームの四隅に上記支持通し部が設けられ、
上記フレームに救助袋本体が吊り下げられたとき、上記開口維持通し部の下方には上記支持シャフトに沿ったたるみ部が形成される請求項１または２に記載の避難用ハッチの救助袋。
【手続補正２】
【補正対象書類名】明細書
【補正対象項目名】０００９
【補正方法】変更
【補正の内容】
【０００９】
第２，３の発明は、上記シャフト通し部が、救助袋本体の開口を維持する開口維持通し部と、救助袋本体の荷重を支える支持通し部とからなることを特徴とする。
なお、上記救助袋本体の荷重とは、救助袋本体の自重だけでなく、救助袋本体内を下降中の避難者の重量なども含まれ、救助袋本体を介してシャフト通し部に作用する全ての荷重のことである。
また、上記シャフト通し部のうち支持通し部が救助袋本体の荷重を支えるが、開口維持通し部には、全く荷重が作用しないという訳ではない。救助袋本体の荷重は、開口維持通し部にも作用するが、特に、支持通し部に荷重が作用しやすい構成にしているということである。
【手続補正３】
【補正対象書類名】明細書
【補正対象項目名】００１０
【補正方法】変更
【補正の内容】
【００１０】
そして、第２の発明は、上記支持通し部が、救助袋本体よりも強度の高い別部材からなることを特徴とする。
【手続補正４】
【補正対象書類名】明細書
【補正対象項目名】００１１
【補正方法】変更
【補正の内容】
【００１１】
また、第３の発明は、四角形の開口を備えたハッチに対して四角形の上記フレームを備え、このフレームの四隅に上記支持通し部が設けられ、上記フレームに救助袋本体が吊り下げられたとき、上記開口維持通し部の下方には上記支持シャフトに沿ったたるみ部が形成されることを特徴とする。
【手続補正５】
【補正対象書類名】明細書
【補正対象項目名】００１４
【補正方法】変更
【補正の内容】
【００１４】
第２，３の発明によれば、支持通し部が、主に救助袋本体の荷重を支えるため、この支持通し部の強度を高く保てば、全てのシャフト通し部や救助袋本体全体の強度を一律に高くしなくてもよくなる。
また、第２の発明では、支持通し部を救助袋本体と別部材にしているので、支持通し部の強度を容易に高めることができる。
【手続補正６】
【補正対象書類名】明細書
【補正対象項目名】００１５
【補正方法】変更
【補正の内容】
【００１５】
第３の発明によれば、救助袋本体の開口形状を、ハッチの開口に沿った形状にすることができ、ハッチの開口内で、救助袋本体の開口を最大限に保つことができる。救助袋本体の開口が大きくなれば、その分、避難者が内部に入りやすくなり、速やかに避難できることになる。
さらに、開口維持通し部の下方にたるみ部が形成されることで、開口維持通し部に荷重がかかりにくくなる。支持通し部が救助袋本体の荷重を主に支えることになるので、支持通し部の強度を大きくして、安全性を高めることができる。
また、開口維持通し部の下方に形成されたたるみ部が、救助袋本体の変形に追従するので、救助袋本体が変形しやすくなり、内部を通過する避難者にストレスが作用しにくくなる。